(57)【要約】【課題】ペットボトルを細かくチップ状に切断することができるペットボトル切断装置を提供することである。【解決手段】互いに異なる方向に回転することによって投入されたペットボトルを圧縮する一対の圧縮ローラ３２Ａ、３２Ｂ（３３Ａ、３３Ｂ）から構成された圧縮部３２（３３）と、互いに異なる方向に回転することによって前記圧縮部３２（３３）によって圧縮されたペットボトルを切断する一対の切断ローラ３３Ａ、３３Ｂから構成された第１切断部３３と、互いに互いに異なる方向に回転することによって前記第１切断部３３によって切断されたペットボトルを切断する一対の切断ローラ３４Ａ、３４Ｂとから構成された第２切断部３４と、を備え、前記第２切断部３４の切断ローラ３４Ａ、３４Ｂは、前記第１切断部３３の切断ローラ３３Ａ、３３Ｂに対して直角な位置に設けられていることを特徴とするペットボトルの切断装置である。【選択図】図１
2005161429.tif 000002
【特許請求の範囲】
【請求項１】
互いに異なる方向に回転することによって投入されたペットボトルを圧縮する一対の圧縮ローラから構成された圧縮部と、
互いに異なる方向に回転することによって前記圧縮部によって圧縮されたペットボトルを切断する一対の切断ローラから構成された第１切断部と、
互いに互いに異なる方向に回転することによって前記第１切断部によって切断されたペットボトルを切断する一対の切断ローラとから構成された第２切断部と、を備え、
前記第２切断部の切断ローラは、前記第１切断部の切断ローラに対して直角な位置に設けられていることを特徴とするペットボトルの切断装置。
【請求項２】
前記第２切断部は、前記第１切断部に対して、前記第１切断部によって切断されたペットが垂直状態で落下した後に水平状態になるに十分な距離をおいて下方に設けられていることを特徴とする請求項１記載の切断装置。
【請求項３】
前記第１切断部と第２切断部の間には、前記第１切断部によって切断されたペットボトルを前記第２切断部の一対の切断ローラの間に誘導する誘導板が設けられていることを特徴とする請求項１又は２記載の切断装置。
【請求項４】
前記第１切断部及び第２切断部の一対の切断ローラそれぞれの外周面には、切断ローラの周方向に連なる切断刃が軸方向に複数設けられており、
これら一対の切断ローラは、一方の切断ローラの切断刃とそれに対向する他方の切断ローラの切断刃が、切断されたペットボトルが十分に移動できるスペースを有するように設けられており、
前記一方の切断ローラの切断刃及び前記他方の切断ローラの切断刃の少なくとも一方には、少なくとも前記スペースに突出する突出部を備えていることを特徴とする請求項１乃至３いずれか記載の切断装置。
【請求項５】
前記第１切断部及び第２切断部の一方の切断ローラの切断刃の外周面には、一の方向に向かって先細りとなるテーパ面が形成され、
前記第１切断部及び第２切断部の他方の切断ローラの切断刃の外周面には、前記一の方向と反対の方向に向かって先細りとなるテーパ面が形成され、
これら一対の切断ローラは、一方の切断ローラの切断刃の背面と他方の切断ローラの切断刃の背面が重なり合って接するように設けられていることを特徴とする請求項４記載の切断装置。
【請求項６】
前記突出部は、前記一方の切断ローラ又は前記他方の切断ローラの回転方向に向かって鋭利状に形成された刃部を有することを特徴とする請求項４又は５記載の切断装置。
【請求項７】
前記突出部は、前記一方の切断ローラ又は前記他方の切断ローラの回転方向に向かって尖った先端部を有することを特徴とする請求項４乃至６いずれか記載の切断装置。
【請求項８】
前記一方の切断ローラの切断刃及び前記他方の切断ローラの切断刃の前記突出部に対向する位置には、前記突出部が挿入可能な溝が全周に亘って形成されており、前記突出部は、前記溝に挿入するのに十分な長さを有することを特徴とする請求項４乃至７いずれか記載の切断装置。
【請求項９】
前記第２切断部によって切断されたペットボトルの切断片を洗浄する洗浄部をさらに備えたことを特徴とする請求項１乃至８いずれか記載の切断装置。
【請求項１０】
ペットボトルのキャップ側を挿入可能な挿入孔と、該挿入孔に挿入されたペットボトルのキャップ部分をペットボトルの本体から切断するキャップ切断部と、をさらに備えたことを特徴とする請求項１乃至９いずれか記載の切断装置。
【請求項１１】
前記キャップ切断部によって切断されたキャップ部分を誘導するように垂直方向下向きに延びる誘導管を前記切断部の下方に設け、
該誘導管は、該誘導管内の周方向全域に亘って設けられるとともに、傾斜を有する網部材と、該網部材の傾斜の下端から分岐する分岐管と、を備えていることを特徴とする請求項１０記載の切断装置。
【請求項１２】
ペットボトルの表面の張られたラベルを溶かす熱風を噴出するノズルをさらに備えたことを特徴とする請求項１乃至１１いずれか記載の切断装置。
【発明の詳細な説明】
【技術分野】
【０００１】
本発明は、使用済みのペットボトルをチップ状に切断するペットボトル切断装置に関する。
【背景技術】
【０００２】
近年、資源の再利用の観点から、清涼飲料の容器としてポリエチレンテレフタレート（ＰＥＴ、ペット）を原料とするペットボトルが使用されている。このペットボトルは、使用後、収集されて、リサイクルセンターなどに配送されて再生されている。
【０００３】
ペットボトルの配送は、中が空洞であり、嵩張るため、例えばペットボトルシュレッダーなどによって細かく粉砕した状態で行われている。従来のペットボトルシュレッダーとしては、例えば特許文献１に記載されたものがある。この特許文献１に記載されたペットボトルシュレッダーは、外周面に粉砕刃が設けられた一対の粉砕ローラが互いに異なる方向に回転することによって、ペットボトルを細かく粉砕するように構成されている。
【０００４】
【特許文献１】特開２００１−１７８８１号公報
【発明の開示】
【発明が解決しようとする課題】
【０００５】
しかしながら、ペットボトルシュレッダーは、一対の粉砕ローラの外周面の粉砕刃によって、ペットボトルを叩くことによってペットボトルを細かく粉砕しているため、騒音が大きいという問題がある。また、ペットボトルを切断するペットボトル切断装置は、種々のものが提案されているが、静音性に優れて、細かくチップ状に切断するものは見当らない。
【０００６】
そこで、本発明は、静音性に優れており、ペットボトルを細かくチップ状に切断することができるペットボトル切断装置を提供することを目的とする。
【課題を解決するための手段】
【０００７】
以上の目的を達成するため、本発明は、互いに異なる方向に回転することによって投入されたペットボトルを圧縮する一対の圧縮ローラから構成された圧縮部と、互いに異なる方向に回転することによって前記圧縮部によって圧縮されたペットボトルを切断する一対の切断ローラから構成された第１切断部と、互いに互いに異なる方向に回転することによって前記第１切断部によって切断されたペットボトルを切断する一対の切断ローラとから構成された第２切断部と、を備え、前記第２切断部の切断ローラは、前記第１切断部の切断ローラに対して直角な位置に設けられていることを特徴とするペットボトルの切断装置である。
【０００８】
以上のように本発明に係るペットボトルの切断装置によれば、圧縮部によって圧縮した後に、先ず第１切断部によって一方向に切断され、その後第２切断部によってその直角な方向に切断させるので、細かくチップ状に切断される。その際、圧縮部による圧縮の後に切断が行われているので、スムーズにペットボトルの切断を行うことができ、大きな騒音が生じることは少ない。
【０００９】
本発明に係るペットボトルの切断装置において、前記第１切断部及び第２切断部の一対の切断ローラそれぞれの外周面には、切断刃が軸方向に複数設けられており、これら一対の切断ローラは、一方の切断ローラの切断刃とそれに対向する他方の切断ローラの切断刃が、切断されたペットボトルが十分に移動できるスペースを有するように設けられており、前記一方の切断ローラの切断刃及び前記他方の切断ローラの切断刃の少なくとも一方には、少なくとも前記スペースに突出する突出部を備えていることが好ましく、このように対向する切断刃の間にスペースを設け、そのスペースに突出する突出部を備えることにより、ペットボトルを回転している切断ローラ間に引き込んで切断することができる。この場合、前記第２切断部は、前記第１切断部に対して、前記第１切断部によって切断されたペットが垂直状態で落下した後に水平状態になるに十分な距離をおいて下方に設けられていることが好ましく、前記第１切断部と第２切断部の間には、前記第１切断部によって切断されたペットボトルを前記第２切断部の一対の切断ローラの間に誘導する誘導板が設けられていることが好ましい。このように誘導板を設けることにより、第１切断部によって切断されたペットボトルの切断片を確実に第２切断部に導くことができる。
【００１０】
また、本発明に係る切断装置において、前記第１切断部及び第２切断部の一方の切断ローラの切断刃の外周面には、一の方向に向かって先細りとなるテーパ面が形成され、前記第１切断部及び第２切断部の他方の切断ローラの切断刃の外周面には、前記一の方向と反対の方向に向かって先細りとなるテーパ面が形成され、これら一対の切断ローラは、一方の切断ローラの切断刃の背面と他方の切断ローラの切断刃の背面が重なり合って接するように設けられていることが好ましく、このように構成することにより重なり合って接する切断刃の背面によって、ペットボトルを容易に切断することができる。
【００１１】
さらに、本発明に係る切断装置において、前記突出部は、前記一方の切断ローラ又は前記他方の切断ローラの回転方向に向かって鋭利状に形成された刃部を有することが好ましく、このように刃部を有することにより、ペットボルトを第１又は第２切断部に引き込みながら切断することができる。また、前記突出部は、前記一方の切断ローラ又は前記他方の切断ローラの回転方向に向かって尖った先端部を有することが好ましく、このように先端部を設けることによって、確実に切断ローラ間にペットボトルを引き込んで切断することができる。
【００１２】
またさらに、本発明に係る切断装置において、前記一方の切断ローラの切断刃及び前記他方の切断ローラの切断刃の前記突出部に対向する位置には、前記突出部が挿入可能な溝が全周に亘って形成されており、前記突出部は、前記溝に挿入するのに十分な長さを有することが好ましい。
【００１３】
本発明に係る切断装置は、前記第２切断部によって切断されたペットボトルの切断片を洗浄する洗浄部をさらに備えていることが好ましい。
【００１４】
本発明に係る切断装置は、ペットボトルのキャップ側を挿入可能な挿入孔と、該挿入孔に挿入されたペットボトルのキャップ部分をペットボトルの本体から切断するキャップ切断部と、をさらに備えていることが好ましく、このようにキャップ切断部を備えることにより、ペットボトルの本体と異なる原料であるプラスチックから形成されているキャップを切り離すことができるので、資源の再利用を容易に行うことができる。
【００１５】
この際、前記キャップ切断部によって切断されたキャップ部分を誘導するように垂直方向下向きに延びる誘導管を前記切断部の下方に設け、該誘導管は、該誘導管内の周方向全域に亘って設けられるとともに、傾斜を有する網部材と、該網部材の傾斜の下端から分岐する分岐管と、を備えているが好ましく、このように誘導管を構成することにより、切断されたキャップ部分は、先ず誘導管内を落下し、網部材に当たり、分岐管に誘導される。一方、ペットボトル本体の残液は、網部材を通ってより下方に落下する。これにより切断されたキャップ部分と残液を分別することができる。
【００１６】
本発明に係る切断装置は、ペットボトルの表面の張られたラベルを溶かす熱風を噴出するノズルをさらに備えていることが好ましい。このようなノズルから噴出する熱風をペットボトルの表面に張られたラベルの上端から下端まで当てることにより、ラベルを溶かして縦方向に切断することができるので、容易にプラスチック製のラベルを剥がすことができる。
【発明の効果】
【００１７】
以上のように、本発明に係る切断装置によれば、静音性に優れており、ペットボトルを細かくチップ状に切断することができるペットボトル切断装置を提供することができる。
【発明を実施するための最良の形態】
【００１８】
次に、本発明に係るペットボトル切断装置の実施例について図面に基づいて説明する。図１は、本実施例に係るペットボトル切断装置の正面断面概念図であり、図２は、図１のＡ−Ａ´線に沿った断面図であり、図３は、図１のＢ−Ｂ´線に沿った断面図である。本実施例に係るペットボトル切断装置は、主としてペットボトルのプラスチックで構成されたキャップ部分を切断するキャップ切断部１０、ペットボトルの表面に張り付けられたプラスチック製のラベルを剥離可能な状態にするラベル剥離部２０、及びペットボトル切断部３０から構成されている。
【００１９】
キャップ切断部１０は、図１及び３に示すように、ペットボトルＸのキャップ部分が挿入可能なキャップ部挿入部１１と、そのキャップ部分をペットボトルＸの本体から切断するカッター部１２と、カッター部１２によって切断されたキャップを誘導する誘導管１３と、を備えている。カッター部１２は、キャップ部挿入部１１にペットボトルが挿入されたか否かを検知するセンサ１４と、回転カッター１５と、回転カッターを回転させるモータ１６と、を備えている。モータ１６は、センサ１４によってペットボトルＸが検知されると、回転カッター１５を回転させてキャップ部分をペットボトルＸの本体から切断し、センサ１６によってペットボトルＸが挿入されていないと検知さると、モータ１６の回転を停止させるように構成されている。誘導管１３は、カッター部１２によって切断されたキャップ部分を主として垂直方向に落下させるように構成されており、中間部に分岐管１７が設けられている。誘導管１３のこの中間部の全域には、網１８が降下されてくるキャップ部分を分岐管１７に誘導するように張設されており、このためペットボトルＸ内に残存していた液体のみが中間部よりも下方に降下するように構成されている。誘導管１３の末端１３Ａは、ペットボトル切断装置の外に液体を排出するように構成されている。また、分岐管１７の末端１７Ａも、ペットボトル切断装置の外に切断されたキャップ部分を誘導するように構成されており、ペットボトル切断装置の外に誘導されたキャップ部分は、ペットボトル切断装置の外に設置されたキャップ部分収容部１９に収容される。
【００２０】
ラベル剥離部２０は、図１に示すように、コンプレッサー２１と、コンプレッサー２１からの空気を熱するヒータ２２と、ヒータ２２によって熱させた熱風を外に噴出するノズル２３と、を備えている。ノズル２３から噴出される熱風の温度は、ペットボトルの表面に張られたラベルを溶かすことが可能な温度に調整されている。したがって、このノズル２３から噴出される熱風にペットボトルの表面を当てながら、ペットボトルを縦方向に移動させることによって、ラベルを縦方向に切断することができ、これによりラベルを容易にペットボトルから剥離することができる。
【００２１】
ペットボトル切断部３０は、図１及び図２に示すようにペットボトルＹを水平状態でペットボトル切断装置内に投入可能な投入口３１と、投入口３１の下方に設けられ、投入口３１から投入されたペットボトルＹを圧縮する第１圧縮部３２と、第１圧縮部３２の下方に設けられ、第１圧縮部３２によって圧縮されたペットボトルＹをさらに圧縮する第２圧縮部３３と、第２圧縮部３３の下方に設けられ、第２圧縮部３３によって圧縮されたペットボトルＹを縦方向に切断する第１切断部３４と、第１切断部３４の下方に設けられ、第１切断部３４によって切断されたペットボトルＹを横方向に切断する第２切断部３５と、第２切断部３５の下方に設けられ、第２切断部３５によって切断されたペットボトルＹの切断片を洗浄する洗浄部３６と、を備えている。
【００２２】
第１圧縮部３２は、一対の圧縮ローラ３２Ａ、３２Ｂから構成されており、これら一対の圧縮ローラ３２Ａ、３２Ｂは、図示しない駆動手段によって互いに反対方向に回転するように設けられている。この回転によってペットボトルＹを圧縮させながら下方に移動させることができる。また、これら一対の圧縮ローラ３２Ａ、３２Ｂそれぞれの上方には、圧縮ローラ３２Ａ、３２Ｂよりも径を小さくする一対のプーリ３７Ａ、３７Ｂが設けられており、これら一対の圧縮ローラ３２Ａ、３２Ｂと一対のプーリ３７Ａ、３７Ｂには、投入口３１から水平状態で投入されたペットボトルＹを一対の圧縮ローラ３２Ａ、３２Ｂまで誘導する一対の誘導ベルト３８が張設されている。
【００２３】
第２圧縮部３３は、一対の圧縮ローラ３３Ａ、３３Ｂから構成されており、これら一対の圧縮ローラ３３Ａ、３３Ｂは、図示しない駆動手段によって互いに反対方向に回転するように第１圧縮部３２の一対の圧縮ローラ３２Ａ、３２Ｂに並列させてその下方に設けられている。これら一対の圧縮ローラ３３Ａと３３Ｂの間隔は、第１圧縮部３２の圧縮ローラ３２Ａと３２Ｂの間隔よりも狭く設けられており、これら圧縮ローラ３３Ａと３３Ｂの回転によってペットボトルＹをさらに圧縮させながら下方に移動させることができる。
【００２４】
第１切断部３４は、一対の切断ローラ３４Ａ、３４Ｂから構成されており、これら一対の切断ローラ３４Ａ、３４Ｂは、図示しない駆動手段によって互いに反対方向に回転するように第２圧縮部３３の一対の圧縮ローラ３３Ａ、３３Ｂに並列させてその下方に設けられている。図４に示すように、一方の切断ローラ３４Ａの外周面には、一の方向に向かって先細りとなるテーパ面３９Ａを外周面に有する切断刃３９が軸方向に複数設けられている。また、他方の切断ローラ３４Ｂの外周面には、切断ローラ３４Ａの一の方向と反対の方向に向かって先細りとなるテーパ面４０Ａを外周面に有する切断刃４０が軸方向に複数設けられている。一方の切断ローラ３４Ａの切断刃３９の背面３９Ｂと他方の切断ローラ３４Ｂの切断刃４０の背面４０Ｂが重なって接するようにこれら一対の切断ローラ３４Ａ、３４Ｂが設けられている。このように切断刃３９及び４０を構成することによって、水平状態で投入され圧縮されたペットボトルＹを輪切り状に切断することができる。また、これら一方の切断ローラ３４Ａの切断刃３９のテーパ面３９Ａと他方の切断ローラ３４ｂの切断刃４０のテーパ面４０Ａは、切断されたペットボトルが十分に移動できる間隔を有して設けられている。また、一方の切断ローラ３４Ａの切断刃３９のテーパ面３９Ａと他方の切断ローラ３４Ｂの切断刃４０のテーパ面４０Ａそれぞれの軸方向の中心には、全周に亘って溝３９Ｃ、４０Ｃが形成されている。溝３９Ｃ及び４０Ｃには、切断刃３９、４０よりも径が大きい円盤板４１、４２が軸方向に一つおきに互い違いに複数設けられており、これら円盤板４１、４２の外周縁は、対向する切断刃３９、４０の溝３９Ｃ、４０Ｃに挿入可能に形成されている。図５に示すように、円盤板４１、４２の外周縁には、周方向に等間隔をおいて切欠き部４１Ａ、４２Ａが３つ形成されており、これら切欠き部４１Ａ、４２Ａの回転方向側は、鋭利状の刃部４１Ｂ、４２Ｂに形成されている。また切欠き部４１Ａ、４２Ａの外側には、回転方向に向かって尖った先端部４１Ｃ、４２Ｃが形成されている。これら刃部４１Ｂ、４２Ｂ及び先端部４１Ｃ、４２Ｃによって、ペットボトルを切断ローラ３４Ａ、３４Ｂの間に引き込み、切断されて、一方の切断ローラ３４Ａの切断刃３９のテーパ面３９Ａと他方の切断ローラ３４Ｂの切断刃４０のテーパ面４０Ａの間に介在する切断されたペットボトルＹを引っ掛けて下方に押し出すことができる。
【００２５】
第２切断部３５は、一対の切断ローラ３５Ａ、３５Ｂから構成されており、これら一対の切断ローラ３５Ａ、３５Ｂは、図示しない駆動手段によって互いに反対方向に回転するように第１切断部３４の一対の切断ローラ３５Ａ、３５Ｂに対して直角な状態で下方に設けられている。これら切断ローラ３５Ａ、３５Ｂの構造は、第１切断部３４の切断ローラ３４Ａ、３４Ｂと同様の構造である。すなわち、図４に示すように一方の切断ローラ３５Ａの外周面には、一の方向に向かって先細りとなるテーパ面４３Ａを外周面に有する切断刃４３が軸方向に複数設けられている。また、他方の切断ローラ３５Ｂの外周面には、切断ローラ３５Ａの一の方向と反対の方向に向かって先細りとなるテーパ面４４Ａを外周面に有する切断刃４４が軸方向に複数設けられている。一方の切断ローラ３５Ａの切断刃４３の背面４３Ｂと他方の切断ローラ３５Ｂの切断刃４４の背面４４Ｂが重なって接するようにこれら一対の切断ローラ３５Ａ、３５Ｂが設けられている。これら一方の切断ローラ３５Ａの切断刃４３のテーパ面４３Ａと他方の切断ローラ３５Ｂの切断刃４４のテーパ面４４Ａは、切断されたペットボトルが十分に移動できる間隔を有して設けられている。また、一方の切断ローラ３５Ａの切断刃４３のテーパ面４３Ａと他方の切断ローラ３５Ｂの切断刃４４のテーパ面４４Ａそれぞれの軸方向の中心には、全周に亘って溝４３Ｃ、４４Ｃが形成されている。溝４３Ｃ及び４４Ｃには、切断刃４３、４４よりも径が大きい円盤板４５、４６が軸方向に一つおきに互い違いに複数設けられており、これら円盤板４５、４６の外周縁は、対向する切断刃４３、４４の溝４３Ｃ、４４Ｃに挿入可能に形成されている。図５に示すように円盤板４５、４６の外周縁には、周方向に等間隔をおいて切欠き部４５Ａ、４６Ａが３つ形成されており、これら切欠き部４５Ａ、４６Ａの回転方向側は、鋭利状の刃部４５Ｂ、４６Ｂに形成されている。また切欠き部４５Ａ、４６Ａの外側には、回転方向に向かって尖った先端部４５Ｃ、４６Ｃが形成されている。これら刃部４５Ｂ、４６Ｂ及び先端部４５Ｃ、４６Ｃによって、ペットボトルを切断ローラ３５Ａ、３５Ｂの間に引き込み、切断されて、一方の切断ローラ３５Ａの切断刃４３のテーパ面４３Ａと他方の切断ローラ３５Ｂの切断刃４４のテーパ面４４Ａの間に介在する切断されたペットボトルＹを引っ掛けて下方に押し出すことができる。第２切断部３５は、第１切断部３４に対して、第１切断部３４によって切断されたペットの切断片が垂直状態で落下した後に水平状態になるのに十分な距離をおいて設置されている。また、第１切断部３４と第２切断部３５の間には、第１切断部３４によって切断されたペットボトルＹを第２切断部３５の一対の切断ローラ３５Ａ、３５Ｂの間に誘導する一対の誘導板５０Ａ、５０Ｂが設けられている。
【００２６】
洗浄部３６は、水が貯められた水槽４７と、第２切断部３５によって切断されたペットボトルの切断片Ｚが落下可能な水槽４７内の位置に設けられたペット切断片容器４８と、を備えている。ペット切断片容器４８は、網によって形成されており、水槽４７から取り出す際に、ペット切断片容器４８内の洗浄水が水槽４７内に残るように構成されている。これによりペットの切断片に付着した残液を洗浄することができる。
【００２７】
次に、本実施例に係るペットボトルの切断装置の動作について説明する。先ず、ペットボトルのキャップ部分をキャップ切断部１０のキャップ部挿入部１１に挿入すると、センサ１４が検知して、モータ１６が稼動して、回転カッター１５が回転して、キャップ部分がペットボトル本体から切断される。切断されたキャップ部分は、誘導路１３内を落下して、網１８によって分岐管１７に誘導され、キャップ部分収容部１９に収容される。ペットボトル内の残液は、網１８を通って誘導管１３によって排出される。
【００２８】
次に、キャップ部分が切断されたペットボトルの下端をノズル２３に当てて、ペットボトルを下方にゆっくり移動させると、ペットボトルの外面に張られたプラスチック製のラベルが溶けて、縦方向に切断される。これにより、容易にラベルをペットボトルから剥離することができる。
【００２９】
次に、ラベルが剥離されたペットボトルを水平状態で投入口３１に投入すると、誘導ベルト３８によって第１圧縮部３２の圧縮ローラ３２Ａ，３２Ｂまで誘導され、これら圧縮ローラ３２Ａ，３２Ｂによって圧縮されながら第２圧縮部３３に誘導される。第２圧縮部３３に誘導されたペットボトルは、圧縮ローラ３３Ａ、３３Ｂによってさらに圧縮されながら第１切断部３４に誘導される。第１切断部３４に誘導された圧縮されたペットボトルは、切断ローラ３４Ａ、３４Ｂの円盤板４１、４２の先端部４１Ｃ、４２Ｃによって引っ掛けられて、切断ローラ３４Ａ、３４Ｂの間に引き込まれて、切断刃３９、４０、円盤板の刃部４１Ｂ、４２Ｂによって輪切り状に切断される。切断されたペットの切断片は、その後落下しながら、又は誘導板５０Ａ、５０Ｂによって誘導されながら、水平状態になり、第２切断部３５の切断ローラ３５Ａ、３５Ｂの円盤板４５、４６の先端部４５Ｃ、４６Ｃによって引っ掛けられて、切断ローラ３５Ａ、３５Ｂの間に引き込まれて、切断刃４３、４４及び円盤板の刃部４３Ｂ、４４Ｂによってチップ状に切断される。
【００３０】
チップ状に切断されたペットの切断片は、ペット切断片容器４８内に落下して、水槽４７内の洗浄水に浸され、ペットに付着した残液を洗浄することができる。次いで、ペット切断片容器４８を水槽４７から取り出すことによって、チップ状に切断され、洗浄されたペットの切断片を得ることができる。
【図面の簡単な説明】
【００３１】
【図１】本発明に係るペットボトルの切断装置の実施例の正面断面概念図である。
【図２】図１のＡ−Ａ´線に沿った断面図である。
【図３】図１のＢ−Ｂ´線に沿った断面図である。
【図４】本実施例に係るペットボトル切断装置の一対の切断ローラの平面図である。
【図５】本実施例に係るペットボトル切断装置の円盤体の平面図である。
【符号の説明】
【００３２】
第１圧縮部    ３２
圧縮ローラ    ３２Ａ、３２Ｂ
第２圧縮部    ３３
圧縮ローラ    ３３Ａ、３３Ｂ
第１切断部    ３４
切断ローラ    ３４Ａ、３４Ｂ
第２切断部    ３５
切断ローラ    ３５Ａ、３５Ｂ
【図１】
2005161429.tif 000003
【図２】
2005161429.tif 000004
【図３】
2005161429.tif 000005
【図４】
2005161429.tif 000006
【図５】
2005161429.tif 000007